(57)【要約】【課題】  接続用コネクタの同軸ケーブルにおいて、ハーネス中央の同軸ケーブルの信号線と端部の同軸ケーブルの信号線とではグランドの距離と経路が異なり、中央ではグランドインダクタンスが大きくなるため、同じハーネス内でもグランド電位の変動による電流の分布が発生し、さらに放射ノイズが増加する。【解決手段】  同軸ケーブルを束ねて芯線を２次元的に配置したハーネス端部に設けられたプラグコネクタと、前記プラグコネクタ面に対して２次元的にマス目上に配置された前記プラグコネクタの信号ピンと、複数の前記信号ピンの間に位置するように配置された前記プラグコネクタのグランドピンと、を備え、前記信号ピンおよび前記グランドピンとはレセプタクルコネクタの信号端子およびグランド端子に電気的に接続され前記レセプタクルコネクタ内部で前記信号端子および前記グランド端子と電気的に接続する前記信号パッドおよび前記グランドパッドを基板の信号配線およびグランド配線と電気的に接続したことを特徴とする接続用コネクタ。【選択図】  図１
2011076811.tif 000002
【特許請求の範囲】
【請求項１】
複数の同軸ケーブルと、
前記複数の同軸ケーブルを束ねて芯線を２次元的に配置したハーネスの端部に設けられたプラグコネクタと、
前記プラグコネクタ面に対して２次元的に複数個配置された信号ピンと、
前記複数の信号ピン間に位置するように配置されたグランドピンと、
前記信号ピンおよび前記グランドピンと電気的に接続可能な基板と、
前記基板と前記プラグコネクタとの間に配置された半田ボールと、
前記半田ボールと前記プラグコネクタとの間に配置されたレセプタクルコネクタとを備え、
前記信号ピンおよび前記グランドピンとは、前記レセプタクルコネクタの信号端子およびグランド端子とそれぞれ電気的に接続可能であり、
前記レセプタクルコネクタ内部で前記信号端子および前記グランド端子と電気的に接続する信号パッドおよびグランドパッドを、前記基板の信号配線およびグランド配線と電気的に接続したことを特徴とする接続用コネクタ。
【請求項２】
請求項１記載の接続用コネクタにおいて、
さらに、前記複数の同軸ケーブルの外導体を挟んで圧着された複数のプラグブロックを有し、
前記複数の同軸ケーブルは、芯線が直線状に並ぶように並列に配置され、
前記プラグコネクタにおいて、前記複数の同軸ケーブルの芯線と前記複数のプラグブロックのグランド端子とが交互に配置された２次元的な配列であることを特徴とする接続用コネクタ。
【請求項３】
請求項１または２のいずれかに記載の接続用コネクタにおいて、
前記複数の同軸ケーブルの芯線は前記基板の一の面に設けられたパッドに対して垂直方向に半田付けされており、
前記パッドと電気的に接続された前記基板の前記一の面に対向する面に設けられたピンと前記レセプタクルコネクタ内の導体とが電気的に接続可能であることを特徴とする接続用コネクタ。
【発明の詳細な説明】
【技術分野】
【０００１】
本発明は高速伝送用同軸ケーブルの基板への接続用コネクタに関する。
【背景技術】
【０００２】
近年の情報機器の高速化に伴い機器内部の基板間・半導体素子間の信号伝送も高速化している。同軸ケーブルは高速信号伝送の伝送経路として基板間で信号配線を電気的に接続するためによく用いられる。同軸ケーブルは基板配線やツイストケーブルなどに比べて信号伝送特性に優れ、高周波信号も高品質に伝送できることが特徴である。
【０００３】
一般的に同軸ケーブルは複数本を並列に並べたハーネスとして扱われ、同軸ケーブル端部に設けたプラグコネクタを基板側に設けたレセプタクルコネクタに接続することで電気的な接続を維持する。尚、コネクタは実装上の制約により基板に接続するための端子を長辺の上下２列に設けている製品が多い。
【０００４】
特許文献１（特表２００８‐５４１４０９号公報）には、「複数の導体から成る信号アレイであって、前記導体のそれぞれが少なくとも１つの内側導電性要素及び外側導電性要素を含んでいる前記信号アレイと、接触面を有する導電性体であって、前記導体の両端が、前記導電性体内部で終端しており、且つ、前記信号アレイを信号ベアリング要素に接触させるために略共平面状に配置された状態で、前記外側導電性要素は前記導電体電気的に結合され、前記内側導電性要素は前記導電性体の前記接触面に接触している前記導電性体と、圧縮性を有する電気的絶縁媒体内に埋設された複数の導電性要素を有している圧縮性接続要素と、を備えているコネクタ組立体であって、前記圧縮性接続要素は、前記接触面に対して位置決め可能とされ、且つ、前記接触面と前記信号ベアリング要素との間で圧縮された場合に、前記信号アレイの前記導体の前記内側導電性要素及び前記外側導電性要素と前記信号ベアリング要素の導電性要素との幾何学的配置を維持する一方で、前記信号アレイと前記信号ベアリング要素との間で信号を通過させるように動作可能とされることを特徴とするコネクタ組立体」が開示されている。
【先行技術文献】
【特許文献】
【０００５】
【特許文献１】特表２００８‐５４１４０９号公報
【発明の概要】
【発明が解決しようとする課題】
【０００６】
従来の同軸ケーブル用コネクタは同軸ケーブルを１列に並べたハーネスを基板に電気的に接続するために用いられる。ハーネスの端部にはプラグコネクタが設けられており、プラグコネクタは凸形の絶縁体に信号端子とグランド端子が長辺側の上下に設けられた構造が一般的である。基板側にはレセプタクルコネクタが設けられており、レセプタクルコネクタはプラグコネクタの凸形状と組み合わさる凹形状となっている。レセプタクルコネクタの凹形状の内側にはプラグコネクタの凸形状の信号・グランド端子に対応した位置に金属端子が設けられており、コネクタが組み合わさった際には、各コネクタの金属端子が接触により電気的に接続する構造となる。
【０００７】
一般的なレセプタクルコネクタのフットプリントを図１１に示す。中央にコネクタ１１０３が位置し、コネクタの長辺の上下に信号パッド１1０１が並ぶ。グランドパッド１１０２はコネクタの短辺側に２箇所設けられている。コネクタ１１０３におけるグランド接続のための導体は、信号配線を避けてコネクタ１１０３の外周部に配置されることが多いため、コネクタ１１０３の端部である短辺側のみにグランドパッド１１０２が配置される。この場合、信号配線とグランド配線の距離が遠くなるため電気的な結合が弱くなり、グランドインダクタンスが増加する。グランドインダクタンスが増加するとグランドの電圧変化による電流が増大する。この電流はコネクタのグランドと電気的に接続されている同軸ケーブルの外導体にも流れ、同軸ケーブルの外導体に電流が流れることでケーブルの周囲に磁界が発生して他の機器や装置に影響を及ぼすノイズとなる。
【０００８】
また、ハーネス中央の同軸ケーブルの信号線と端部の同軸ケーブルの信号線とではグランドの距離と経路が異なり、中央ではグランドインダクタンスが大きくなる。このため同じハーネス内でもグランド電位の変動による電流の分布が発生し、さらに放射ノイズを増加させる原因となる。
【課題を解決するための手段】
【０００９】
本願において開示される発明のうち代表的なものの概要を簡単に説明すれば次のとおりである。
（１）同軸ケーブルを束ねて芯線を２次元的に配置したハーネス端部に設けられたプラグコネクタと、前記プラグコネクタ面に対して２次元的にマス目上に配置された前記プラグコネクタの信号ピンと、複数の前記信号ピンの間に位置するように配置された前記プラグコネクタのグランドピンと、を備え、前記信号ピンおよび前記グランドピンとはレセプタクルコネクタの信号端子およびグランド端子に電気的に接続され、前記レセプタクルコネクタ内部で前記信号端子および前記グランド端子と電気的に接続する前記信号パッドおよび前記グランドパッドを基板の信号配線およびグランド配線と電気的に接続したことを特徴とする接続用コネクタである。
（２）（１）記載の接続用コネクタであって、芯線が直線状に並ぶように複数の前記同軸ケーブルを並列に配置し、前記同軸ケーブルの外導体を挟んで圧着したプラグブロックと、前記プラグブロックを複数並べたことで同軸ケーブルの芯線とプラグブロックに設けられたグランド端子とが２次元的な配列となるプラグコネクタと、を備え、前記２次元的な配列において同軸ケーブルの芯線とグランド端子が交互に配置されたことを特徴とする接続用コネクタである。
【発明の効果】
【００１０】
本発明によれば、装置内部の放射ノイズに起因する機器の誤動作を防止することのできる接続用コネクタを提供することができる。
【図面の簡単な説明】
【００１１】
【図１】本発明に係る接続用コネクタの斜視図である。
【図２】本発明に係る接続用コネクタの同軸コネクタの配置を示す図である。
【図３】本発明に係る接続用コネクタの同軸ケーブルコネクタの断面図である。
【図４】本発明に係る接続用コネクタのプラグコネクタ基板のパッド配置を示す図である。
【図５】本発明に係る接続用コネクタのプラグコネクタ基板のピン配置を示す図である。
【図６】本発明に係る接続用コネクタのレセプタクルコネクタのピンソケット配置を示す図である。
【図７】本発明に係る接続用コネクタのレセプタクルコネクタのフットプリントを示す図である。
【図８】本発明に係る接続用コネクタのレセプタクルコネクタの信号層内配線を示す図である。
【図９】本発明に係る接続用コネクタのプラグコネクタユニットの組み立て方法を示す図である。
【図１０】本発明に係る接続用コネクタのプラグコネクタの構成を示す図である。
【図１１】従来のコネクタのフットプリントを示す図である。
【図１２】本発明に係る接続用コネクタおよび従来の接続用コネクタにおけるグランドインダクタンス低減効果を示す図である。
【図１３】本発明に係る接続用コネクタのプラグコネクタユニットの組み立て方法を示す図である。
【図１４】本発明に係る接続用コネクタのＴｗｉｎａｘケーブルの配置を示す図である。
【図１５】本発明に係る接続用コネクタのプラグコネクタ基板のパッド配置を示す図である。
【図１６】本発明に係る接続用コネクタのレセプタクルコネクタのフットプリントを示す図である。
【図１７】本発明に係る接続用コネクタのレセプタクルコネクタの信号層内配線を示す図である。
【発明を実施するための形態】
【実施例１】
【００１２】
本発明に係る接続用コネクタの実施形態の一例を図1乃至１０を用いて説明する。
【００１３】
図１に、本発明に係る接続用コネクタの斜視図を示す。本発明に係る接続用コネクタは、同軸ケーブル１０１、プラグコネクタ１０２、レセプタクルコネクタ１０３、プラグコネクタ外枠１０４、プラグコネクタ基板１０５、基板側パッド１０６、半田ボール１０７とを有して構成される。２次元的に並べた複数の同軸ケーブル１０１の両端にプラグコネクタ１０２を接続し、基板側パッド１０６と半田ボール１０７で接続したレセプタクルコネクタ１０３とプラグコネクタ１０２とを嵌合して電気的に接続する。
【００１４】
図２は、プラグコネクタと接続する同軸コネクタの２次元的な配置を示す。本発明に係る接続用コネクタでは、４０本の直径０．５ｍｍの同軸ケーブルコネクタ２０１をプラグコネクタ面２０２に対して垂直方向に１ｍｍ間隔で千鳥状に配置した。但し、同軸ケーブルコネクタ２０１の配置は互いの距離が一定となる規則性のある配置であれば良い。
【００１５】
図３は、本発明に係る接続用コネクタの同軸ケーブルコネクタの断面図であり、同軸ケーブルコネクタ内部の電気的な接続を図３で示す。接続用コネクタの断面図は、基板３１０、半田ボール３０７、半田ボール３０７と基板３１０とを接続する基板側信号パッド３０８および基板側グランドパッド３０９、基板側信号パッド３０８および基板側グランドパッド３０９を介して半田ボール３０７と接続される積層基板３０６、積層基板３０６上に形成されるレセプタクルコネクタ３０３、ピンソケット層３１１、信号ピン３０４、グランドピン３０５およびプラグコネクタ３０２、基板側信号パッド３０８と電気的に接続される同軸ケーブルコネクタ３０１とを備える。
【００１６】
上述の同軸ケーブルコネクタ３０１と接続されたプラグコネクタ３０２の下部に設けられた長さ１ｍｍ程度のピン端子を、レセプタクルコネクタ３０３のピンソケットに挿入する。レセプタクルコネクタ３０３は厚さ１．５ｍｍ程度のピンソケット層４１１と厚さ２ｍｍ程度の積層基板３０６を組み合わせた構造であり、積層基板３０６は上からグランド層、信号層、信号層、グランド層の４層構造となる。ピンソケット層４１１に挿入されたピン端子には信号ピン３０４とグランドピン３０５の２種類あり、信号ピン３０４に電気的に接続された配線が積層基板３０６の信号層内でコネクタの内側から外側に広がり、直径１ｍｍ程度の半田ボール３０７を介して基板側信号パッド３０８に電気的に接続される。グランドピン３０５も同様にグランド層を介して基板側グランドパッド３０９と電気的に接続される。
【００１７】
尚、上記プラグコネクタ３０２において同軸ケーブルコネクタ３０１の信号線と信号ピン３０４はプラグコネクタ基板５０１で電気的に接続されており、このプラグコネクタ基板のパッド配置を図４に示す。
【００１８】
同軸ケーブルコネクタ３０１の芯線とプラグコネクタ基板４０１とを接続するための信号パッド４０２は、同軸ケーブルコネクタ３０１の外導体と電気的に接続するグランドパッド４０３と１ｍｍ間隔で隣接する配置となる。尚、プラグコネクタ基板信号パッド４０２は必ず２つ以上のグランドパッド４０３と隣接することが望ましい。
【００１９】
プラグコネクタ基板信号パッド４０２とプラグコネクタ基板グランドパッド４０３はプラグコネクタ基板４０１の裏面に設けられたピン端子と電気的に接続されており、図５のように配置される。
【００２０】
厚さ１．５ｍｍのプラグコネクタ基板５０１を貫通して設けられた信号ピン５０２はプラグコネクタ基板信号パッド４０２と電気的に接続している。グランドピン５０３も同様にプラグコネクタ基板グランドパッド４０３と電気的に接続している。このため、ピン配置はパッド配置と同様の１ｍｍ間隔となる。
【００２１】
図６は、本発明に係る接続用コネクタのレセプタクルコネクタのピンソケット配置を示す図である。上記信号ピン５０２およびグランドピン５０３が挿入するレセプタクルコネクタ３０３のピンソケット層４１１に設けられたピンソケット６０３は、プラグコネクタ６０１とレセプタクルコネクタ６０２を嵌合させた際にピン端子が挿入可能な位置に設けられる。
【００２２】
図７は、本発明に係る接続用コネクタのレセプタクルコネクタのフットプリントを示す図である。レセプタクルコネクタ３０３が基板に実装される際の基板との電気的な接続点となるフットプリントを示す。基板側信号パッド７０２、基板側グランドパッド７０３はレセプタクルコネクタ７０１の直下に１ｍｍ間隔でマス目状に配置され、半田ボール３０７を介してレセプタクルコネクタ側のパッドと接続される。尚、基板側信号パッド７０２は同軸ケーブルコネクタ３０１の配置同様に基板側グランドパッド７０３が隣接する配置となる。
【００２３】
図８は、本発明に係る接続用コネクタのレセプタクルコネクタの信号層内配線を示す図であり、同軸ケーブルの芯線からレセプタクルコネクタのパッドまでのコネクタ内配線の引き回しを示している。同軸ケーブルの芯線８０５はプラグコネクタ８０１で纏められており１ｍｍ間隔で千鳥配置されている。同軸ケーブルの芯線８０５の配置からレセプタクルコネクタの基板側信号パッド８０３までレセプタクルコネクタ８０２の信号層で配線を引き回すが、同軸ケーブルで差動信号が伝送されることを考慮して、配線長が２本で異ならないように信号層内配線８０６を配置した。
【００２４】
次に、実施例１に係る接続用コネクタの作成工程を説明する。
【００２５】
まず、同軸ケーブルの先端を切断して芯線が１ｍｍ程度露出するように外部導体および絶縁体をレーザー等で切除する。
【００２６】
プラグコネクタは複数のプラグブロックで構成するが、プラグブロックは図９に示す本発明に係る接続用コネクタのプラグコネクタユニットの組み立て方法を示す図のように、同軸ケーブル９０１を１列に５本または４本並べて、アルミ製グランドブロック９０２で外導体部分を圧着することで作成する。グランドブロック同士の圧着方法は嵌合構造でも良いし、接合部を半田等で溶接してもよい。尚、実施例１では４０本の同軸ケーブルを１ハーネスとして扱うが、プラグブロックを増加してより多くの同軸ケーブルを１ハーネスとして扱っても良い。
【００２７】
プラグブロックの同軸ケーブルの芯線とグランドブロックの突起はマス目状に配置され、芯線とグランドブロックの突起をプラグコネクタ基板９０３上のプラグコネクタ基板パッド９０４に半田付けされる。尚、プラグコネクタ基板９０３は表層片面に１ｍｍ間隔で０．６ｍｍ径のプラグコネクタ基板パッド９０４をマス目状に設けたＦＲ４基板であり、パッドの中心で直径０．３ｍｍ程度のアルミ製ピン端子が基板を貫通することで裏面にピン端子を設けている。
【００２８】
図１０は、本発明に係る接続用コネクタのプラグコネクタの構成を示す図である。プラグコネクタは、同軸ケーブル１００１が４本のプラグブロックＡ１００２と５本のプラグブロックＢ１００３を交互に並べ、最外周をアルミ製１ｍｍ厚程度のプラグコネクタ外枠１００４で固定する。
【００２９】
レセプタクルコネクタはピンソケット層と４層基板とを備えてなる。ピンソケット層にはプラグコネクタのピン位置に合わせて直径０．５ｍｍ程度のソケットを設ける。樹脂製のソケット内にはアルミ製の金属端子を設けており、挿入したピンとは接触により電気的接続を得る。４層基板は絶縁層をＦＲ４とし、表層にグランドプレーンとパッドを設け、内層に信号配線層を２層設けた導体４層の積層基板として製作する。ピンソケット側の表層はピン位置に０．６ｍｍのパッドを設けてピンソケット層の端子と接続している。ピンソケットから内層に引き込まれた信号配線は図８に示したように配線を引き回すことで、基板側パッドと電気的に接続する。
【００３０】
レセプタクルコネクタは基板に半田ボールで実装するため、実装時は半田ボールをパッド上に配置しレセプタクル基板を載せてリフローする。用いる半田ボールおよびリフロー温度はレセプタクルコネクタのサイズに寄る実装信頼性を考慮して選択し、本実施例では鉛フリー半田を用いて２００度リフローを行った。尚、本実施例では金属部品に加工のしやすさからアルミ部材を用いたが、伝送特性の改善を考慮して銅等の他の金属で作成しても良い。
【００３１】
次に、実施例１に係る接続用コネクタの作用を説明する。
【００３２】
図１１は従来のコネクタのフットプリントを示す図、図１２は本発明に係る接続用コネクタおよび従来の接続用コネクタにおけるグランドインダクタンス低減効果を示す図である。一般的なコネクタでは、図１１に示すように、グランドパッド１１０２がフットプリントの端にあることでコネクタ１１０３の中央付近の信号パッド１１０１との距離は遠くなり、図１２に示す従来コネクタの特性１２０２のように中央付近の信号のグランドインダクタンスが大きい。一方、本実施例では同軸ケーブルを基板に電気的に接続した際に信号配線とグランド配線の距離が最短となるため、図１２に示す本発明の特性１２０１のように信号パッドの位置にかかわらず従来のコネクタに比べてグランドインダクタンスを大きく低減することができる。また、信号ピン間の伝送特性のばらつきを抑えることで、従来のコネクタでは中央ピンで最大となるようなケーブルハーネス内のコモンモード電流のばらつきも低減できる。
【００３３】
以上から、本発明によりグランドインダクタンスに起因する同軸ケーブルの外導体を流れるコモンモード電流を低減し、コモンモード電流によるケーブル放射ノイズを抑制できる。
【実施例２】
【００３４】
本発明に係る接続用コネクタの実施形態の一例を図１３乃至１７を用いて説明する。
【００３５】
実施例２の形態は、実施例１では１シールドに１信号配線である同軸ケーブルが１シールドに２信号配線を含むＴｗｉｎａｘケーブル１３０１に置き換わったコネクタである。図１３は本発明に係る接続用コネクタのプラグコネクタユニットの組み立て方法を示す図であり、実施例２と実施例１の具体的な差異は、図１３に示すようにＴｗｉｎａｘケーブル１３０１、１本につき差動信号線１３０２が２本出ていることでプラグコネクタ基板１３０４上のプラグコネクタ基板信号パッド１３０５が２つ連続するような配置を取る構造にある。このとき、差動配線は信号間の結合が主のため信号配線の全周をグランド配線で囲む必要はない。このためプラグコネクタ基板グランドパッド１３０６はプラグコネクタ基板信号パッド１３０５の隣接２箇所のみ配置する。
【００３６】
図１４は、本発明に係る接続用コネクタのＴｗｉｎａｘケーブルの配置を示す図である。実施例２では、プラグコネクタ面１４０２に対して垂直にＴｗｉｎａｘケーブル１４０１を配置し、１コネクタで３×１０本のＴｗｉｎａｘケーブル１４０１を接続する。
【００３７】
図１５は、本発明に係る接続用コネクタのプラグコネクタ基板のパッド配置を示す図である。プラグコネクタ基板１５０１に対して、ＧＳＳＧ（Ｇ：グランドパッド１５０３、信号パッド：１５０２）配置を繰り返す。
【００３８】
尚、本実施例では１シールド内に２信号配線を有するＴｗｉｎａｘケーブルを用いるが、シールド内部に信号線を複数本有するケーブルでも実施例１と同様のメカニズムで放射ノイズは発生するため、実施例２で適用できるケーブルはシールド内の信号線本数が３本以上のケーブルでもよい。
【００３９】
次に、実施例２の作成工程を説明する。
【００４０】
Ｔｗｉｎａｘケーブル１３０１の先端を切断して芯線が１ｍｍ程度露出するように外部導体および絶縁体をレーザー等で切除する。
【００４１】
プラグコネクタは複数のプラグブロックで構成するが、プラグブロックは図１３のようにＴｗｉｎａｘケーブル１３０１を１列に３本並べて、アルミ製グランドブロック１３０２で外導体部分を圧着することで作成する。グランドブロック同士の固着方法は嵌合構造でも良いし、接合部を半田等で固着してもよい。
【００４２】
プラグコネクタは図１４のように１０本のプラグブロック１４０３を並べ、最外周をアルミ製１ｍｍ厚程度のプラグコネクタ外枠１００２で固定する。尚、実施例２についてもグランドブロック１３０２およびプラグコネクタ外枠１００２をアルミ製以外の導体で作成しても良い。
【００４３】
プラグブロック１４０３を固定した状態のＴｗｉｎａｘケーブルの信号線とグランドブロックの突起は、ＧＳＳＧ状に位置し、直下のプラグコネクタ基板１３０４のパッドに半田付けで接続することができる。尚、プラグコネクタ基板は実施例１同様に片面に１ｍｍ間隔で０．６ｍｍ径のパッドをマス目状に設けたＦＲ４基板であり、パッドの中心を直径０．３ｍｍ程度のアルミ製ピン端子で基板を貫通することで裏面にピン端子を設けている。ただし実施例２の信号パッド１３０５は２個隣接する必要があり、その列方向の外側に隣接するようにグランドパッド１３０６を配置する。
【００４４】
実施例２のレセプタクルコネクタは実施例１同様にして作成するが、実施例２では以下の点が異なる。図１６は、本発明に係る接続用コネクタのレセプタクルコネクタのフットプリントを示す図である。図１６に示すように、プラグコネクタ１６０１とレセプタクルコネクタ１６０２の辺が平行で且つプラグコネクタ１６０１がレセプタクルコネクタ１６０２の中央に位置するようにレセプタクルコネクタのピンソケット位置を設計する。また、プラグコネクタ１６０１のピン配置およびレセプタクルコネクタ１６０２のピンソケット配置は図１４のパッド配置と同じようにＧＳＳＧ状の位置関係を保ち、レセプタクルコネクタ１６０２の基板側信号パッド１６０３、基板側グランドパッド１６０４、の配置も同様のＧＳＳＧ配置とする。図１７は、本発明に係る接続用コネクタのレセプタクルコネクタの信号層内配線を示す図であるが、図１７のようにレセプタクルコネクタ１７０２の信号層内配線１７０５はコネクタ中心から外周へ拡大するように引き回しで設計する。
【００４５】
次に、実施例２に係る接続用コネクタの作用を説明する。
【００４６】
実施例２ではＴｗｉｎａｘケーブルを基板に電気的に接続した際に、信号配線とグランド配線の距離が最短とし従来のコネクタに比べてグランドインダクタンスを大きく低減することができる。また、複数のＴｗｉｎａｘケーブルを接続しても均一な配置となることから、各ケーブルの伝送特性のばらつきを抑えると共に、ケーブルハーネス内のコモンモード電流のばらつきも低減できる。以上から、グランドインダクタンスに起因するＴｗｉｎａｘケーブルの外導体を流れるコモンモード電流を低減し、コモンモード電流によるケーブル放射ノイズを抑制できる。
【符号の説明】
【００４７】
１１０３  コネクタ、１１０１、３０８、７０２、８０３、１６０３  基板側信号パッド、１１０２、３０９、７０３、８０４、１６０４  基板側グランドパッド、１０１、２０１、３０１、９０１、１００１  同軸ケーブルコネクタ、１０２、３０２、６０１、８０１、１６０１  プラグコネクタ、１０３、３０３、６０２、７０１、８０２、１６０２  レセプタクルコネクタ、１０４、１００４  プラグコネクタ外枠、１０５、４０１、５０１、９０３、１３０４、１５０１  プラグコネクタ基板、１０６  基板側パッド、１０７、３０７  半田ボール、２０２、１４０２  プラグコネクタ面、３０４、５０２  信号ピン、３０５、５０３  グランドピン、３０６  積層基板、３１０  基板、４０２、１５０２  プラグコネクタ基板信号パッド、４０３、１５０２  プラグコネクタ基板グランドパッド、６０３  ピンソケット、８０５  同軸ケーブルの芯線、 ８０６  信号層内配線、９０２、１３０３  グランドブロック、９０４  プラグコネクタ基板パッド、１００２  プラグブロックＡ、１００３  プラグブロックＢ、１２０１  本発明の特性、１２０２  従来コネクタの特性、１３０１、１４０１  Ｔｗｉｎａｘケーブル、１３０２  信号線、１４０３  プラグブロック
【図１】
2011076811.tif 000003
【図２】
2011076811.tif 000004
【図３】
2011076811.tif 000005
【図４】
2011076811.tif 000006
【図５】
2011076811.tif 000007
【図６】
2011076811.tif 000008
【図７】
2011076811.tif 000009
【図８】
2011076811.tif 000010
【図９】
2011076811.tif 000011
【図１０】
2011076811.tif 000012
【図１１】
2011076811.tif 000013
【図１２】
2011076811.tif 000014
【図１３】
2011076811.tif 000015
【図１４】
2011076811.tif 000016
【図１５】
2011076811.tif 000017
【図１６】
2011076811.tif 000018
【図１７】
2011076811.tif 000019